(57)【要約】      （修正有）【課題】登録番号等による識別機能、盗難防止機能だけでなく、データ管理機能等の諸機能を付与した自転車防犯登録用シールを提供する。【解決手段】シール本体とその表面を被って配した透明フィルムを含む。自転車防犯登録用シールを自転車に貼付したときにシール本体と透明フィルムの裏面が自転車の貼付面に対して接着力を持ち、透明フィルムを自転車から剥がしたときに、シール本体および／または透明フィルムの少なくとも一部は自転車に貼り付いたままになるようにしてなり、且つ、シール本体がＱＲコード（登録商標）を含む。【選択図】図１
0003173918.tif 000002
【実用新案登録請求の範囲】
【請求項１】
シール本体とその表面を被って配した透明フィルムを含む自転車防犯登録用シールであって、
（ａ）前記自転車防犯登録用シールを自転車に貼付したときに前記シール本体と透明フィルムの裏面が自転車の貼付面に対して接着力を持ち、
（ｂ）前記透明フィルムを自転車から剥がしたときに、シール本体および／または透明フィルムの少なくとも一部は自転車に貼り付いたままになるようにしてなり、且つ、
（ｃ）前記自転車防犯登録用シールにおけるシール本体と透明フィルムのうちシール本体がＱＲコードを含む、
ことを特徴とする自転車防犯登録用シール。
【請求項２】
請求項１の自転車防犯登録用シールにおいて、自転車に貼付した自転車防犯登録用シールを剥がしたときに、自転車側の接着面にシール本体の剥がした痕跡が残るようにしてなることを特徴とする自転車防犯登録用シール。
【請求項３】
請求項１または２の自転車防犯登録用シールにおいて、前記自転車防犯登録用シールにおけるシール本体と透明フィルムのうち、シール本体の表面に自転車登録用番号が印刷されてなることを特徴とする自転車防犯登録用シール。
【請求項４】
請求項１〜３のいずれか１項の自転車防犯登録用シールにおいて、そのシール本体が、アルミニウムまたはアルミニウム合金を蒸着したポリエステルフィルム製のシール本体であることを特徴とする自転車防犯登録用シール。
【請求項５】
請求項１〜４のいずれか１項の自転車防犯登録用シールが、自転車の前パイプ、上パイプ、下パイプ、立パイプ、前ホークまたは前ホークの外面に貼付される自転車防犯登録用シールであることを特徴とする自転車防犯登録用シール。
【請求項６】
請求項１〜５のいずれか１項の自転車防犯登録用シールにおいて、前記透明フィルムがプラスチック製フィルムであることを特徴とする自転車防犯登録用シール。
【請求項７】
請求項１〜６のいずれか１項の自転車防犯登録用シールにおいて、前記透明フィルムがその周縁から内方に向けて複数個の切れ込みを入れたプラスチック製フィルムであることを特徴とする自転車防犯登録用シール。
【請求項８】
請求項１〜６のいずれか１項の自転車防犯登録用シールにおいて、前記透明フィルムが矩形状であり、その矩形状透明フィルムの四隅から内方に向けて４個の切れ込みを入れたプラスチック製フィルムであることを特徴とする自転車防犯登録用シール。
【請求項９】
請求項１〜８のいずれか１項の自転車防犯登録用シールを自転車のパイプまたはホークに貼付してなることを特徴とする自転車防犯登録用シール付き自転車。
【考案の詳細な説明】
【技術分野】
【０００１】
本考案は、自転車防犯登録用シールに関し、より詳しくは自転車の車体を構成する金属パイプなどに貼り付けて使用する自転車防犯登録用シールおよびその自転車防犯登録用シール付き自転車に関するものである。
【背景技術】
【０００２】
従来、自転車に対し自転車防犯用シールを貼付することで自転車を防犯することが行われている。自転車防犯用シールは、自転車に対して、その本体を構成する部材である上パイプ、下パイプあるいは立パイプなどに巻き付け、貼付することで固定される。
【考案の開示】
【考案が解決しようとする課題】
【０００３】
自転車防犯用シールは、自転車の番号登録、盗難防止、盗難された自転車の早期発見、自転車照会のシステム化、放置自転車対策、駐車場での入出庫管理などの目的で使用される。自転車防犯用シールによりそれらの目的を十分に達成するためには、例えば、自転車への貼付済みシールが剥がれず、人つまり自転車泥棒などが、自転車から貼付シールを剥がしてもその行為の痕跡が明白ないし容易に読みとれるようにすることなど数多くの特性や機能をもつことが望まれる。
【０００４】
本考案は、それら各種の特性、数多くの機能を併わせ持つ自転車防犯用シールを開発したもので、自転車に対して、それらの特性、機能、すなわち番号登録、盗難防止、剥がれ防止（シール本体および透明フィルム）、貼り替え防止（シール本体および透明フィルム）、経年劣化防止（透明フィルムでの被膜）、盗難された自転車の早期発見（ＱＲコード）、ＱＲコードの読み取りによる自転車照会のシステム化、放置自転車対策（ＱＲコード）、駐車場の入出庫管理（ＱＲコード）、データ管理（ＱＲコード）等の諸機能を有する自転車防犯用シールおよび当該自転車防犯登録用シール付き自転車を提供することを目的とするものである。
【課題を解決するための手段】
【０００５】
本考案（１）は、シール本体とその表面を被って配した透明フィルムを含む自転車防犯登録用シールであって、
（ａ）前記自転車防犯登録用シールを自転車に貼付したときに前記シール本体と透明フィルムの裏面が自転車の貼付面に対して接着力を持ち、
（ｂ）前記透明フィルムを自転車から剥がしたときに、シール本体および／または透明フィルムの少なくとも一部は自転車に貼り付いたままになるようにしてなり、且つ、
（ｃ）前記自転車防犯登録用シールにおけるシール本体と透明フィルムのうちシール本体がＱＲコードを含む、
ことを特徴とする自転車防犯登録用シールである。
【０００６】
本考案（２）は、本考案（１）の自転車防犯登録用シールにおいて、自転車に貼付した自転車防犯登録用シールを剥がしたときに、自転車側の接着面にシール本体の剥がした痕跡が残るようにしてなることを特徴とする自転車防犯登録用シールである。
【０００７】
本考案（３）は、本考案（１）または（２）の自転車防犯登録用シールにおいて、前記自転車防犯登録用シールにおけるシール本体と透明フィルムのうち、シール本体の表面に自転車登録用番号が印刷されてなることを特徴とする自転車防犯登録用シールである。
【０００８】
本考案（４）は、本考案（１）〜（３）のいずれかの自転車防犯登録用シールにおいて、そのシール本体が、アルミニウムまたはアルミニウム合金を蒸着したポリエステルフィルム製のシール本体であることを特徴とする自転車防犯登録用シールである。
【０００９】
本考案（５）は、本考案（１）〜（４）のいずれかの自転車防犯登録用シールが、自転車の前パイプ、上パイプ、下パイプ、立パイプ、前ホークまたは前ホークの外面に貼付される自転車防犯登録用シールであることを特徴とする自転車防犯登録用シールである。
【００１０】
本考案（６）は、本考案（１）〜（５）のいずれかの自転車防犯登録用シールにおいて、前記透明フィルムがプラスチック製フィルムであることを特徴とする自転車防犯登録用シールである。
【００１１】
本考案（７）は、本考案（１）〜（６）のいずれかの自転車防犯登録用シールにおいて、前記透明フィルムがその周縁から内方に向けて複数個の切れ込みを入れたプラスチック製フィルムであることを特徴とする自転車防犯登録用シールである。
【００１２】
本考案（８）は、本考案（１）〜（６）のいずれかの自転車防犯登録用シールにおいて、前記透明フィルムが矩形状であり、その矩形状透明フィルムの四隅から内方に向けて４個の切れ込みを入れたプラスチック製フィルムであることを特徴とする自転車防犯登録用シールである。
【００１３】
本考案（９）は、本考案（１）〜（８）のいずれかの自転車防犯登録用シールを自転車のパイプまたはホークに貼付してなることを特徴とする自転車防犯登録用シール付き自転車である。
【考案の効果】
【００１４】
本考案に係る自転車防犯用シールは、自転車に対して、登録番号などによる識別機能、盗難防止、盗難自転車の早期発見、自転車照会のシステム化、放置自転車対策、駐車場での入出庫管理、等の各種目的で貼付することで使用される。自転車防犯用シールによりそれらの目的を十分に達成するためには、例えば、貼付済みシールが剥がれず、自転車泥棒が貼付済みシールを剥がしてもその行為の痕跡が明白ないし容易に読みとれるようにすることなど数多くの特性、各種機能が望まれる。
【００１５】
本考案は、それら数多くの特性、各種機能を併せ持つ自転車防犯用シールを開発したもので、自転車に対して、それらの目的、機能とともに、各種機能すなわち、盗難防止、はがれ防止（シールおよび透明フィルム）、張り替え防止（シールおよび透明フィルム）、経年劣化防止（透明フィルムで被膜）、盗難された自転車の早期発見（ＱＲコード）、ＱＲコードの読み取りによる自転車照会のシステム化、放置自転車対策（ＱＲコード）、駐車場の入出庫管理（ＱＲコード）、データ管理（ＱＲコード）等の効果が得られる。
【００１６】
すなわち、本考案に係る自転車防犯用シールによると、自転車に対して、番号登録機能、盗難防止機能、シール本体および透明フィルムの剥がれ防止機能、シール本体および透明フィルムの貼り替え防止機能、透明フィルムで被膜することによるシール本体の経年劣化防止機能、ＱＲコードによる盗難された自転車の早期発見機能、ＱＲコードの読み取りによる自転車照会のシステム化機能、ＱＲコードによる放置自転車対策、ＱＲコードによる駐車場の入出庫管理機能、ＱＲコードによるデータ管理機能等の諸機能を付与し、対応する効果を得ることができる。
【図面の簡単な説明】
【００１７】
【図１】本考案の自転車防犯登録用シールの構成、構造、ＱＲコードの構成等を説明する図である。
【図２】本考案のＱＲコードを説明する図である。
【図３】本考案の自転車防犯登録用シールを貼付する自転車例を説明する図である。
【図４】本考案の自転車防犯登録用シールを貼付する自転車例を説明する図である。
【図５】本考案の自転車防犯登録用シールの使用態様例を説明する図である。
【図６】本考案の自転車防犯登録用シールの使用態様例を説明する図である。
【図７】本考案の自転車防犯登録用シールの態様例を説明する図である。
【図８】本考案の自転車防犯登録用シールの使用態様例を説明する図である。
【考案を実施するための形態】
【００１８】
本考案は、シール本体とその表面を被って配した透明フィルムを含む自転車防犯登録用シールである。そして、
（ａ）前記自転車防犯登録用シールを自転車に貼付したときに前記シール本体と透明フィルムの裏面が自転車の貼付面に対して接着力を持ち、（ｂ）前記透明フィルムを自転車から剥がしたときに、シール本体および／または透明フィルムの少なくとも一部は自転車に貼り付いたままになるようにしてなり、且つ、（ｃ）前記自転車防犯登録用シールにおけるシール本体と透明フィルムのうちシール本体がＱＲコードを含む、ことを特徴とする。
【００１９】
以下、本考案に係る自転車防犯登録用シールにつき、その構造、ＱＲコードの構成、使用態様等について順次説明する。
【００２０】
図１は、本考案の自転車防犯登録用シールの構成、構造、ＱＲコードの構成等について説明する図である。図１（ａ）において、１は台紙、２はシール本体、４は透明フィルムである。台紙１の上面にシール本体２が配置され、シール本体２の上面を覆って透明フィルム４が配置されている。
【００２１】
シール本体２は、アルミ蒸着すなわちアルミニウムまたはアルミニウム合金を蒸着したポリエステルフィルム〔例えば、ポリエチレンテレフタラートフィルム（ＰＥＴ）〕等で構成され、それはポリエステルフィルムにアルミニウムまたはアルミニウム合金を蒸着することで得られる。アルミ蒸着したポリエステルフィルムは、金属光沢があり、遮光性、ガス遮断性、防湿性に優れている。
【００２２】
図１（ｂ）は、シール本体２と透明フィルム４とのペアーを台紙１から剥がし、そのペアーを取り出して示した図である。透明フィルム４の面積はシール本体２の面積よりも大きく、透明フィルム４が、シール本体２の上面の全面を被い、シール本体２の外周縁よりはみ出るようになっている。
【００２３】
〈Ａ：シール本体２について〉
シール本体２には、自転車登録番号である複数桁の数（図１では、仮に“０００００００”と表示している。表示のように７桁であれば９９９万９９９９台の自転車に貼付できる）、例えば都道府県番号（１から５４まである。神奈川県番号では４５）、海老名署等の警察署番号である４１等の番号の標示に加えて、ＱＲコード３を配置する。ここで、シール本体２における本体とは、透明フィルム４等の付属物を除いた“シール”としての主要部分との意味である。
【００２４】
１．シール本体２は、金属製パイプ、ホークすなわち自転車の構成部材である金属製パイプまたは金属製ホークに対し、その表面の湾曲面に貼り付けたときの接着効果を高めるため、薄いシールで構成する。シールの厚さに限定はないが、好ましくは７５ミクロン（μｍ）あるいはその前後とする。その範囲幅で言えば、好ましくは７３〜７８μｍの範囲で選択できる。
２．シール本体２の経年劣化を抑えるため、シール本体２への登録番号等の印字は、耐光性の高い特殊インクで印刷する。
【００２５】
３．シール本体２の再使用（貼り替え）を不可能にする。その態様として下記（１）〜（３）のような構成を採る。
（１）自転車盗難防止のため、その金属パイプ（または金属製ホーク、以下同じ）の面に一度貼付されたシール本体２を剥がすと金属パイプの接着面に剥した痕跡が残るようにする。加えて、シール本体２の裏面の模様が金属パイプ面にへばり付くようにする。これにより、別途新しいシール本体を貼ったにしても、一度貼付したシール本体２の痕跡が残ることになる。
（２）同じく、盗難防止のため、金属パイプからシール本体２を剥がすと、シール表面に表示の自転車登録番号および／またはＱＲコードが破損し、それらを読み取りにくくする。
（３）同じく、盗難防止のため、透明フィルム４の面積はシール本体２の面積よりも大きく、透明フィルム４が、シール本体２の上面の全面を覆い、シール本体２の外周縁よりはみ出るようになっている。
これら（１）〜（３）のシール本体２の再使用（貼り替え）を不可能にする構成、機能により、直接的ないし間接的に自転車の盗難防止を図ることができる。
【００２６】
〈Ｂ１：ＱＲコードについて（その１）〉
１．シール本体２にはＱＲコード３を配置する。すなわち、シール本体に２次元バーコードであるＱＲコードを印刷する。ＱＲコードには、シール本体２の表面に印刷されている自転車登録番号が記入されているほか、警察署番号（４１）も記入されている。ＱＲコード３には、それらデータのほか、自転車の持主、その登録番号、等が仕込まれ、必要に応じて各種データ量を増やすことができる。
【００２７】
２．ＱＲコードを盗難自転車の発見、早期発見に役立てる。ＱＲコードには自転車の持主、その登録番号等が仕込まれているので、盗難自転車に付されたＱＲコードを読み取ることで、その登録原簿と照合し、持主を早期に発見できる。
３．ＱＲコードの読み取りによる自転車照会のシステム化を図ることができる。各自転車、その持主の氏名、住所、付与ＱＲコードの番号等を予め把握し記録して、システム化することができる。これにより、盗難自転車の早期発見や放置自転車の早期照合を図ることができる。
【００２８】
４．ＱＲコードは駐輪場の入出庫管理に利用することができる。
５．また、ＱＲコードには、ホームページアドレスその他、いろいろな情報を記録させることが可能である。
【００２９】
６．ＱＲコード中に記録されているデータ、つまり記録データの読み取りはリーダー（reader）で行う。リーダーには手で持って読み取るハンディタイプ、小さなコードを読み取るペンタイプ、移動するものを高速に読みとるカメラタイプ、ポータブル用途のハンディターミナルタイプなどがあるが、いずれも使用できる。
７．ＱＲコードから読み取った記録データをパソコン等に読み込むことで、データ処理を効率的に行うことができる。
【００３０】
〈Ｂ２：ＱＲコードについて（その２）〉
図２はＱＲコードを説明する図である。ＱＲコードには、読み取りスピードを速くするために３個の切り出しシンボル（目玉）ａが配置されている。これにより、コードの位置と大きさ、傾きが検出され、スキャナーの走査線がいかなる方向からでも、それを読めばスキャナーから直ちにデコードができる。ＱＲコードはそのように全方向且つ超高速の読み取りが可能であることが特徴である。この特徴により、他の２次元バーコードに対して約１０〜１５倍のスピードで読み取ることができる。
【００３１】
図２中、ｂ（２箇所）は各セルの中心座標を求めるためのタイミングパターン、ｃはデータセル（データ領域）、ｄはマージンである。タイミングパターンｂ（２箇所）は各セルの中心座標を求めるためのパターンで、コードがゆがんだり、セルピッチに誤差が生じている場合、データセルの中心座標を補正するために用いられる。データ領域にデータがコード化される。入力データを０と１の２値符号化し、白／黒セルに変換してコードに配置される。データセル（データ領域）ｃにはデータおよびデータ復元機能（リードソロモン符号）が記録される。マージンｄは、コード読み取りにあたって必要とされる余白スペースで、上下方向、左右方向のそれぞれに４セル幅以上必要とされる。
【００３２】
なお、ＱＲコードは、数字で最大７０８９文字、英文字、数字、記号で最大７０８９文字、漢字、カタカナで１８１７文字を表現できる。ＱＲコードの中身は黒と白の升目（点）の有無でデータを表現しており、このデータ表現の基本単位となるセル〔１つの点（＝マス目）〕の数で大きさの規格が決められている。
【００３３】
〈Ｂ３：ＱＲコードについて（その３）〉
前述のとおり、シール本体２にはＱＲコードが配置されている。ＱＲコードはバーコードの一種であり、モザイク状の四角いマークからなり、携帯電話のカメラなどで情報を読み取ることができる。本考案においては、このＱＲコードを自転車防犯登録用シールに応用し適用する。
【００３４】
ＱＲコード（Ｑuick Ｒesponse Ｃode）は、その名のとおり、すばやいレスポンスつまり「高速読み取り・高速処理」を主眼において開発された２次元バーコードである。２次元バーコードは、水平方向のほか垂直方向にも情報をもたせて、バーコードの数十倍〜数百倍のデータを表現することができる。ＱＲコードは、バーコードが持つ機能はすべてカバーしているので、バーコードと同じく認識コード（ＩＤコード：Identification Code）として用いることができる。さらに、ＱＲコードには、バーコードにはない、下記（ａ）〜（ｆ）のような特徴を備えている。
【００３５】
（ａ）表示面積を小さくし、データ量を多くすることができる。
（ｂ）物に直接表示して、物に情報を持たせることができる。
（ｃ）伝票情報も読み取れるように多桁化でき、大量の情報も読み込むことができる。
（ｄ）高速読取りができる。
（ｅ）漢字表現が可能である。
（ｆ）汚れ、欠損に強く、復元読み取りが可能である。
【００３６】
ここで、上記（ｆ）の特徴に関して、ＱＲコードは、そのようにコード自体が誤り訂正機能、つまりデータ復元機能をもっている。誤り訂正能力は、汚れや欠け約７％のレベルＬ、汚れや欠け約１５％のレベルＭ、汚れや欠け約２５％のレベルＱ、汚れや欠け約３０％のレベルＨの４段階に分けられているが、本考案においては、レベルＨすなわちコード面積のうち最大約３０％が汚れたり、破損しても復元可能である。
【００３７】
ＱＲコードは、それらの特徴から、これまでのバーコードではできなかった用途、例えば、高速自動仕分けシステム、極めて少ない表示面積しか許されない商品の管理システムなど、新しい識別コードとしての用途が考えられている。さらには、ＱＲコードに物自体のすべての情報を入れておくことにより、物が何であるのかという情報だけでなく、どうすべき物なのか、どのように加工するのか、どこへ運ぶのか、何と一緒にして欲しいのか、だれが使う予定なのかといった諸情報も一体として知ることができる。すなわち「意思伝達手段」としての用途が考えられる。
【００３８】
本考案は、ＱＲコードを自転車盗難防止という特殊、特異な用途に応用し、利用するものである。本考案においては、シール本体２に配置したＱＲコードに仕込まれた情報をスキャナーで読みとる。ＱＲコードはバーコードの数十〜数百倍のデータも扱うことができる。ＱＲコードのデータはデータセルの領域にコード化される。入力データを０と１との２値に符号化し、白／黒セルに変換してコードに配置される。データおよびリードソロモン符号がこのデータセルに記録される。
【００３９】
〈Ｃ：透明被膜フィルムについて〉
シール本体２を被って透明被膜フィルム４（本明細書中“透明フィルム”とも称している）を貼り付ける。これによりシール本体２の経年劣化を防止する。このほかの、本発明における透明フィルム４の役割、機能等は、以下１〜７のとおりである。
【００４０】
１．透明フィルム４によりシール本体２を雨、水、泥等から保護する。
２．透明フィルム４によりシール本体２に印刷、配置した登録番号等の色褪せを防止する。
３．透明フィルム４によりシール本体２の剥がれを防止する。
４．自転車盗難の抑止効果を高めるため、透明フィルム４に、例えばその四隅に線状切れ込み（切り込み）を入れておく。貼付した透明フィルム４を剥がすと当該線状切れ込みがあることにより、線状切れ込み（の線）を境には剥がれる部分と、剥がれずに残る部分とに分かれて当該透明フィルム４を損傷するように工夫している。
【００４１】
５．自転車盗難の抑止効果を高めるため、警察署名（例えば神奈川県警察）を透明フィルム４に印刷する。
６．透明フィルム４を剥がした時に、透明印刷警察署名が切れるように警察署名を印刷する（つまり“割印”の役目を果たす）。
７．上記６により、透明フィルム４を剥がした場合に、再度原型のとおり接着することが困難になる。例えば、隠蔽を図るために泥棒などが透明フィルム４を剥がしても、その痕跡が残ることになるので、再度原型のとおり接着することが困難となる。なんとか接着し得たにしてもその痕跡により盗難車であることが判明する。
【００４２】
〈Ｄ：シール本体と被膜用透明フィルムについて〉
１．シール本体と被膜用透明フィルムの接着度の強弱を利用することで、透明フィルムを剥がしたときに、シール本体は自転車に（すなわち自転車のパイプやホーク等に）張り付いたままになるようにする。
２．被膜用透明フィルムによりシール本体の“自然の剥がれ”を防止をする。
３．被膜用透明フィルムに切れ込みを入れておくことにより、透明フィルムを剥がしたときに、透明フィルムが部分的に剥がれることになり、当該剥がれた透明フィルムの分（当該剥がれた透明フィルムの方）に、これに接着した分（これに接着した方）のシール本体が剥がれることになる。これにより、剥がれない部分のシール本体は自転車に張り付いたままになるので、剥がれた分は故意に剥がしたものであることが分り、犯罪行為が介在していることを見付けることができる。
【００４３】
〈Ｅ：本考案で対象とする自転車について〉
ここで、自転車は、人力で走行する二輪車であるが、自転車には普通車、婦人車、重運搬車、軽運搬車、軽快車、旅行用車、競走車、タンデム（二人車）など、各種タイプがある。また、その一種ないし同じ範疇のものとして駆動補助機付き自転車（電動アシスト自転車）もある。本考案に係る自転車防犯登録用シールは、それらいずれの自転車にも適用される。
【００４４】
〈Ｆ：本考案で対象とする自転車の構成、構造例について〉
図３〜４に本考案で対象とする自転車の構成、構造例（非特許文献１、２）を示している。図３〜４の構成、構造例で言えば、本考案に係る自転車防犯登録用シールは、自転車の前パイプ１１（図４では１１１、以下３桁数の符号について同じ）、上パイプ１２（１１２）、下パイプ１３、立パイプ１４（１１４）、前ホーク１５（１１５）、あるいは後ホーク１６（１１６）等に貼付することで使用する。それらの各パイプはＦｅないしＦｅ合金（鋼管）、Ｔｉ合金、Ａｌ合金等の材料で構成されている。
【００４５】
【非特許文献１】１９８１年４月２０日、平凡社発行「世界大百科事典１３」ｐ．３６２−３６６
【非特許文献２】平成２３年（２０１１年）４月２２日、産経新聞社発行「産経新聞」ｐ．１６（第１６面）
【００４６】
〈Ｇ：シール本体２と被膜用透明フィルム４を自転車に貼付する態様について〉
図５〜６は、シール本体２と被膜用透明フィルム４を自転車に貼付する態様を説明する図である。図５（ａ）は図１（ａ）と同じである。図５（ｂ）のように、指先等で、シール本体２と被膜用透明フィルム４を、台紙１から剥がす。そして、図６のように自転車を構成するパイプに貼り付ける。図６（ａ）はパイプに対しその長手方向に平行に貼り付けた場合、図６（ａ）はパイプに対しその長手方向に直角に貼り付けた場合、図６（ｃ）はパイプに対しその長手方向に斜め方向に貼り付けた場合である。
【００４７】
透明フィルム４はシール本体２を被ってシール本体２と接着しており、シール本体２の裏面および、透明フィルム４の裏面のうち、シール本体２の表面と接している裏面以外の裏面（周縁裏面）を介して、自転車のパイプやホークに接着、貼付される。接着剤には各種あるが、それらの接着、貼付には“耐剥がれ性”が良好な接着剤、つまり一度接着、貼付すると爪や篦（へら）などではなかなか剥がれない接着剤を使用する。
【００４８】
〈Ｈ：シール本体の被膜用透明フィルムに入れる切れ込みについて〉
前述〈Ｃ：透明被膜フィルムについて〉の４、〈Ｄ：シール本体と被膜用透明フィルムについて〉の３で述べたとおり、シール本体の被膜用透明フィルムに切れ込みを入れておくことにより、透明フィルムを剥がしたときに、透明フィルムが部分的に剥がれることになり、当該剥がれた透明フィルム分に接着した分のシール本体が剥がれることになる。
【００４９】
図７〜８はその切れ込み、その作用、効果等を説明する図である。図７（ａ）は台紙１、図７（ｂ）はシール本体２と透明フィルム４とのペアーを接着した状態を示している。図７に示すように、シール本体の上面を被って配置する被膜用透明フィルム４に線状の切り込みＫを入れておく。図７のとおり線状の切り込みＫを４箇所に入れている。各線状の切り込みＫは、長方形状の透明フィルムの四隅から内方に向けて対角線状に延ばしており、シール本体の手前まで延びている。シール本体に対してどの程度の手前まで延ばしておくかは適宜選定することができる。
【００５０】
図７に示すように、切り込みＫを、四隅から内方に向けて対角線状に延ばして４箇所に入れておくのが基本であるが、線状の切り込みＫの数に限定はなく、適宜の箇所に適宜の数とすることができる。図８は、図７に示す４個の線状の切り込みＫを入れた透明フィルム付きシール本体を図６（ａ）のように自転車の構造部材であるパイプに貼り付けた場合を示している。
【００５１】
自転車のパイプに貼り付けた線状の切り込みＫを剥がす際には、例えば図５（ｂ）に示すように、透明フィルムの端部を指先等で摘んで剥がすことになる。その時、図８に示すように線状の切り込みＫがあるため、当該線状切り込みＫの部分の両側のうち一方の側のみ剥がれることになり、他方の側はそのまま残ることになる。しかもその際、透明フィルムの下面にシール本体があるので、剥がれる透明フィルムの部分に位置するシール本体の部分も引きずられて剥がれることになる。また、パイプ表面とシール本体、透明フィルム間に介在する接着剤による接着力の強弱などにより複雑な剥がれ方で剥がれることになる。これらにより、パイプ表面に複雑な形状の残査が残ることになるので、そこに犯罪行為が介在していることを見付けることができる。
【産業上の利用可能性】
【００５２】
本考案に係る自転車防犯登録シールは、登録番号、盗難防止、盗難された自転車の早期発見、自転車照会のシステム化、放置自転車対策、駐車場での入出庫管理、等の各種目的を達成し、それらの目的で使用することができる。
【符号の説明】
【００５３】
１  台紙
２  シール本体
３  ＱＲコード
４  透明フィルム
ａ  切り出しシンボル（目玉）
ｂ  タイミングパターン（２箇所）
ｃ  データセル
ｄ  マージン
１１、１１１  前パイプ
１２、１１２  上パイプ
１３  下パイプ
１４、１１４  立パイプ
１５、１１５  前ホーク
１６、１１６  後ホーク
Ｋ  線状の切り込み
【図１】
0003173918.tif 000003
【図２】
0003173918.tif 000004
【図３】
0003173918.tif 000005
【図４】
0003173918.tif 000006
【図５】
0003173918.tif 000007
【図６】
0003173918.tif 000008
【図７】
0003173918.tif 000009
【図８】
0003173918.tif 000010